(57)【要約】【課題】貯蔵室内の温度ムラを少なくする。【解決手段】貯蔵室１１を有する貯蔵庫本体１２と、圧縮機２５、凝縮器２６及び冷却器２８を備える冷却サイクル３１と、冷却器２８によって生成された冷気を貯蔵室１１に供給する冷却ファン２９と、凝縮器２６を冷却する凝縮器ファン２７と、圧縮機２５の異常を検知するサーマルスイッチ４８と、制御部４０と、を備え、制御部４０は、サーマルスイッチ４８によって圧縮機２５の異常が検知された場合に、圧縮機２５を停止させると共に冷却ファン２９を運転させることに特徴を有する。【選択図】図４
2020008230.tif 000002
【特許請求の範囲】
【請求項１】
貯蔵室を有する貯蔵庫本体と、
圧縮機、凝縮器及び冷却器を備える冷却サイクルと、
前記冷却器によって生成された冷気を前記貯蔵室に供給する冷却ファンと、
前記凝縮器を冷却する凝縮器ファンと、
前記凝縮器ファン又は前記圧縮機の異常を検知する異常検知部と、
制御部と、を備え、
前記制御部は、前記異常検知部によって前記凝縮器ファン又は前記圧縮機の異常が検知された場合に、前記圧縮機を停止させると共に前記冷却ファンを運転させる冷却貯蔵庫。
【請求項２】
前記制御部は、前記異常検知部によって前記凝縮器ファン又は前記圧縮機の異常が検知された場合に、前記圧縮機を停止させると共に前記冷却ファンを間欠運転させる請求項１に記載の冷却貯蔵庫。
【請求項３】
前記制御部は、前記異常検知部によって前記凝縮器ファン又は前記圧縮機の異常が検知された場合に、前記圧縮機を停止させると共に前記冷却ファンの回転数を少なくする請求項１に記載の冷却貯蔵庫。
【請求項４】
前記冷却サイクルと、前記冷却ファンと、前記凝縮器ファンと、前記異常検知部とを備える冷却装置を複数備え、
前記制御部は、
複数の前記冷却装置のうち、いずれか１つの前記冷却装置の前記異常検知部によって前記凝縮器ファン又は前記圧縮機の異常が検知された場合に、前記１つの前記冷却装置の前記冷却ファンを他の前記冷却装置の前記冷却ファンと同じ制御方式で運転させる請求項１から請求項３のいずれか１項に記載の冷却貯蔵庫。
【請求項５】
前記冷却サイクルと、前記冷却ファンと、前記凝縮器ファンと、前記異常検知部と、前記冷却器を加熱する加熱部と、を備える冷却装置を複数備え、
前記制御部は、前記複数の前記冷却装置のうち、前記異常検知部によって前記凝縮器ファン又は前記圧縮機の異常が検知された前記冷却装置においては前記冷却ファンを運転させつつ、前記加熱部を停止させ、それ以外の前記冷却装置においては前記冷却ファンを停止させつつ、前記加熱部を動作させる請求項１から請求項４のいずれか１項に記載の冷却貯蔵庫。
【発明の詳細な説明】
【技術分野】
【０００１】
本発明は、冷却貯蔵庫に関する。
【背景技術】
【０００２】
従来、冷却貯蔵庫として、冷却器、圧縮機及び凝縮器を備えるものが知られている（下記特許文献１）。また、下記特許文献１には、冷却器で生成された冷気を貯蔵室へ供給するための冷却ファンが記載されている。また、一般的に凝縮器を備える構成では、凝縮器を冷却するための凝縮器ファンが設けられている。
【先行技術文献】
【特許文献】
【０００３】
【特許文献１】特開２０１６−７５４６５号公報
【発明の概要】
【発明が解決しようとする課題】
【０００４】
従来、上記のような圧縮機及び凝縮器ファンを備える構成では、圧縮機又は凝縮器ファンに異常が発生した場合には、圧縮機及び凝縮器ファンを停止させると共に冷却ファンも停止させることが行われている。冷却ファンが停止すると、貯蔵室内で温度ムラが発生してしまう事態が懸念される。温度ムラが発生すると、貯蔵室内において早期に温度上昇してしまう箇所が生じ、食材に悪影響を与えてしまう事態が懸念される。
【０００５】
本発明は上記のような事情に基づいて完成されたものであって、貯蔵室内の温度ムラを少なくすることを目的とする。
【課題を解決するための手段】
【０００６】
上記課題を解決するために、本発明の冷却貯蔵庫は、貯蔵室を有する貯蔵庫本体と、圧縮機、凝縮器及び冷却器を備える冷却サイクルと、前記冷却器によって生成された冷気を前記貯蔵室に供給する冷却ファンと、前記凝縮器を冷却する凝縮器ファンと、前記凝縮器ファン又は前記圧縮機の異常を検知する異常検知部と、制御部と、を備え、前記制御部は、前記異常検知部によって前記凝縮器ファン又は前記圧縮機の異常が検知された場合に、前記圧縮機を停止させると共に前記冷却ファンを運転させることに特徴を有する。
【０００７】
凝縮器ファン又は圧縮機に異常が生じた場合において冷却ファンを運転させることで、貯蔵室内で空気を循環させることができ、貯蔵室内の温度ムラを少なくすることができる。
【０００８】
また、前記制御部は、前記異常検知部によって前記凝縮器ファン又は前記圧縮機の異常が検知された場合に、前記圧縮機を停止させると共に前記冷却ファンを間欠運転させるものとすることができる。冷却ファンを間欠運転させることで、連続運転させる場合と比べて、貯蔵室内の空気の循環は緩やかになる。このようにすれば、貯蔵室内の空気と貯蔵室を構成する壁部との熱交換や、貯蔵室内の空気と貯蔵室内の貯蔵物との熱交換が抑制される。このため、貯蔵室内の温度上昇を抑えつつ、貯蔵室内の温度ムラを少なくすることができる。
【０００９】
また、前記制御部は、前記異常検知部によって前記凝縮器ファン又は前記圧縮機の異常が検知された場合に、前記圧縮機を停止させると共に前記冷却ファンの回転数を少なくするものとすることができる。冷却ファンの回転数を低くすることで、貯蔵室内の空気の循環はより緩やかになる。このようにすれば、貯蔵室内の空気と貯蔵室を構成する壁部との熱交換や、貯蔵室内の空気と貯蔵室内の貯蔵物との熱交換が抑制される。このため、貯蔵室内の温度上昇を抑えつつ、貯蔵室内の温度ムラを少なくすることができる。
【００１０】
また、前記冷却サイクルと、前記冷却ファンと、前記凝縮器ファンと、前記異常検知部とを備える冷却装置を複数備え、前記制御部は、複数の前記冷却装置のうち、いずれか１つの前記冷却装置の前記異常検知部によって前記凝縮器ファン又は前記圧縮機の異常が検知された場合に、前記１つの前記冷却装置の前記冷却ファンを他の前記冷却装置の前記冷却ファンと同じ制御方式で運転させるものとすることができる。異常が検知された冷却装置の冷却ファンについて、他の冷却ファンと同じ制御方式で運転させることで、異常が検知された冷却装置の冷却ファンのみを停止させる場合と比べて、各冷却ファンによる空気の循環の態様をより近づけることができ、貯蔵室内の温度ムラを少なくすることができる。
【００１１】
また、前記冷却サイクルと、前記冷却ファンと、前記凝縮器ファンと、前記異常検知部と、前記冷却器を加熱する加熱部と、を備える冷却装置を複数備え、前記制御部は、前記複数の前記冷却装置のうち、前記異常検知部によって前記凝縮器ファン又は前記圧縮機の異常が検知された前記冷却装置においては前記冷却ファンを運転させつつ、前記加熱部を停止させ、それ以外の前記冷却装置においては前記冷却ファンを停止させつつ、前記加熱部を動作させるものとすることができる。
【００１２】
正常に動作している冷却装置については、加熱部による冷却器の除霜が行われ、異常が検知された冷却装置については、加熱部による除霜が行われない。また、異常が検知された冷却装置の冷却ファンを運転させることで、貯蔵室内の空気を循環させることができる。これにより、貯蔵室内で温度ムラが生じる事態（冷却器の除霜に伴って冷却ファンを停止することで部分的に温度が高い箇所が生じる事態）を抑制できる。なお、正常な冷却装置については、冷却ファンを停止させることで、加熱部による除霜を効率よく行うことができる。
【発明の効果】
【００１３】
本発明によれば、貯蔵室内の温度ムラを少なくすることができる。
【図面の簡単な説明】
【００１４】
【図１】本発明の実施形態１に係る冷蔵庫を示す断面図
【図２】冷蔵庫が備える冷却サイクルを示す図
【図３】冷蔵庫の電気的構成の一部を示すブロック図
【図４】冷却運転時の制御部の動作を示すフローチャート
【図５】実施形態２に係る冷却運転時の制御部の動作を示すフローチャート
【図６】実施形態３に係る冷蔵庫を示す断面図
【図７】実施形態３に係る冷却運転時の制御部の動作を示すフローチャート
【図８】実施形態４に係る除霜運転時の制御部の動作を示すフローチャート
【発明を実施するための形態】
【００１５】
＜実施形態１＞
本発明の実施形態１を図１から図４によって説明する。本実施形態では、冷却貯蔵庫として、プレハブ式の冷蔵庫１０を例示する。冷蔵庫１０は、図１に示すように、貯蔵室１１を有する貯蔵庫本体１２と、冷却装置１３と、を備える。貯蔵庫本体１２（断熱箱体）は、複数の断熱パネルを箱状に組み立てることで構成されている。貯蔵庫本体１２には出入口となる開口部１６が形成され、開口部１６は、断熱扉１７によって開閉可能となっている。
【００１６】
冷却装置１３は、室外機２１と、室内機２２と、コントロールボックス２３と、室外機２１と室内機２２とを循環接続する冷媒配管２４（図２参照）と、を備える。室外機２１は、図２に示すように、圧縮機２５と、凝縮器２６と、凝縮器２６を冷却するための凝縮器ファン２７と、高圧スイッチ４７と、サーマルスイッチ４８と、吐出管温度センサ４９と、を備える。
【００１７】
室内機２２は、冷却器２８と、冷却ファン２９と、キャピラリチューブ３０（又は膨張弁）と、庫内温度センサ４４と、冷却器温度センサ４５と、除霜ヒータ４６と、を備える。圧縮機２５、凝縮器２６、キャピラリチューブ３０及び冷却器２８は、冷媒配管２４で循環接続されており、冷却サイクル３１を構成するものとされる。冷却ファン２９は、冷却器２８によって生成された冷気を貯蔵室１１に供給することが可能となっている。
【００１８】
次に、冷蔵庫１０の電気的構成について説明する。図３に示すように、冷蔵庫１０は、制御部４０を備える。制御部４０には、記憶部４１、表示部４２、タイマ４３、庫内温度センサ４４、冷却器温度センサ４５、圧縮機２５、凝縮器ファン２７、冷却ファン２９、除霜ヒータ４６、高圧スイッチ４７、サーマルスイッチ４８、吐出管温度センサ４９がそれぞれ電気的に接続されている。制御部４０は、例えば、ＣＰＵを主体に構成されており、記憶部４１は、例えば、ＲＯＭやＲＡＭなどによって構成されている。記憶部４１には、冷蔵庫１０の運転に係る各種パラメータ（庫内設定温度など）が記憶されている。
【００１９】
なお、制御部４０、記憶部４１及びタイマ４３は、例えばコントロールボックス２３内に収容されているが、これに限定されない。また、庫内温度センサ４４、冷却器温度センサ４５、除霜ヒータ４６は、室内機２２の筐体内部に配され、高圧スイッチ４７、サーマルスイッチ４８、吐出管温度センサ４９は、室外機２１の筐体内部に配されている。
【００２０】
表示部４２は、例えば、液晶ディスプレイや表示ランプなどを備え、貯蔵庫本体１２の外面に設けられている。表示部４２には、冷蔵庫１０に関する各種の情報（庫内温度やエラーメッセージ等）が表示される。庫内温度センサ４４は、庫内温度（貯蔵室１１内の温度）を検出するためのものであり、例えば、室内機２２に形成された吸込口（図示せず）近傍に配されている。
【００２１】
冷却運転時には、圧縮機２５、凝縮器ファン２７及び冷却ファン２９が駆動される。冷却ファン２９の駆動により、貯蔵室１１内の空気が室内機２２の筐体に形成された吸込口から室内機２２内に吸引され、その後、冷却器２８を通過する間に熱交換されて生成された冷気が、室内機２２の筐体に形成された吹出口から貯蔵室１１内に吹き出される。これにより、貯蔵室１１内に冷気が循環供給されることで貯蔵室１１が冷却される構成となっている。
【００２２】
また、冷却運転では、制御部４０は、庫内温度センサ４４によって検出された温度が予め設定された上限温度よりも高くなると、圧縮機２５、凝縮器ファン２７及び冷却ファン２９を駆動させ、庫内温度センサ４４によって検出された温度が予め設定された下限温度よりも低くなると圧縮機２５、凝縮器ファン２７を停止させる。これにより、貯蔵室１１内の温度が庫内設定温度（上限温度と下限温度の間の温度）付近で維持されるようになっている。なお、本実施形態では、冷却運転時において圧縮機２５が停止している際には、冷却ファン２９は間欠運転を行い、圧縮機２５が動作している際には、冷却ファン２９は連続運転を行うが、これに限定されない。なお、間欠運転とは、冷却ファン２９について運転と停止とを繰り返す運転のことである。
【００２３】
除霜ヒータ４６（加熱部）は、例えばシーズヒータとされ、冷却器２８の表面に設けられている。また、冷却器温度センサ４５は、冷却器２８に取り付けられており、冷却器２８の温度を検出することが可能となっている。制御部４０は、冷却器温度センサ４５によって測定される冷却器２８の温度が規定温度以下となった場合には、除霜運転として、圧縮機２５、凝縮器ファン２７及び冷却ファン２９を停止させると共に除霜ヒータ４６によって冷却器２８を加熱するヒータデフロストを実行する。
【００２４】
高圧スイッチ４７（異常検知部）は、図２に示すように、圧縮機２５の吐出側に設けられている。高圧圧力（圧縮機２５から吐出される冷媒の圧力）が所定値を超えると高圧スイッチ４７が作動する。これにより、凝縮器ファン２７（より詳しくは凝縮器ファンが備えるファンモータ）の異常を検知することができる。サーマルスイッチ４８（異常検知部）は、圧縮機２５の外郭部に設けられている。圧縮機２５の温度が所定値を超えるとサーマルスイッチ４８が作動する。これにより、圧縮機２５の異常を検知することができる。吐出管温度センサ４９（異常検知部）は、圧縮機２５の吐出側に設けられ、圧縮機２５から吐出される冷媒の温度を検出することが可能となっている。これにより、圧縮機２５の異常を検知することができる。
【００２５】
次に本実施形態の作用について図４を用いて説明する。図４は冷却運転時の制御部４０の動作を示すフローチャートである。図４に示すように、冷却運転中に高圧スイッチ４７、サーマルスイッチ４８及び吐出管温度センサ４９のうちいずれかによって、凝縮器ファン２７又は圧縮機２５の異常が検知されると（ステップＳ１１で「ＹＥＳ」）、制御部４０は、圧縮機２５及び凝縮器ファン２７を停止させ（ステップＳ１２）、表示部４２においてエラー表示を行う（ステップＳ１３）と共に冷却ファン２９を間欠運転させる（ステップＳ１４）。これにより、貯蔵室１１内では冷却ファン２９を連続運転する場合と比べて緩やかな空気の循環が発生する。なお、「間欠運転を行う」とは、異常検知前と比べて冷却ファン２９の能力を低下させて運転することの一例である。
【００２６】
従来、凝縮器ファン２７又は圧縮機２５の異常が検知された場合には、室外機２１に加えて冷却ファン２９も停止させていた。これにより、本実施形態のように冷却装置１３を一基のみ備える構成では、貯蔵室１１内の冷却ができなくなると共に、貯蔵室１１内で温度ムラが発生し、早期に温度上昇してしまう箇所が生じる。本実施形態では、凝縮器ファン２７又は圧縮機２５の異常が検知された場合に、冷却ファン２９を動作させるため、貯蔵室１１内で空気の循環を生じさせることができ、早期に温度上昇する箇所が発生する事態を抑制できる。つまり、貯蔵室１１内全体がゆっくりと温度上昇することになる。また、圧縮機２５が停止した直後は、冷却器２８は外気よりも多少は冷えた状態となっているため、冷却ファン２９を動作させることで、冷却器２８の冷気が貯蔵室１１内に送られる。この結果、貯蔵室１１内の温度上昇を多少は抑制することができる。そして、圧縮機２５が停止した後、時間が経過すると貯蔵室１１内全体の温度が高くなり、これ以降は、冷却ファン２９を動作させても意味がない。このため、制御部４０は、庫内温度センサ４４によって検出された庫内温度が所定値以上になる（ステップＳ１５で「ＹＥＳ」）と、冷却ファン２９を停止する（ステップＳ１６）。なお、庫内温度が所定値以上になる代わりに、間欠運転の運転時間が所定時間になったことを条件として、冷却ファン２９を停止してもよい。なお、間欠運転としては、庫内温度が１Ｋ上昇する毎に所定の秒数だけ冷却ファン２９を運転させる方式を例示することができる。また、間欠運転として、冷却ファン２９を所定時間運転させた後、所定時間停止することを繰り返すような方式であってもよい。
【００２７】
次に本実施形態の効果について説明する。本実施形態によれば、凝縮器ファン２７又は圧縮機２５に異常が生じた場合において冷却ファン２９を運転させることで、貯蔵室１１内で空気を循環させることができ、貯蔵室１１内の温度ムラを少なくすることができる。これにより、凝縮器ファン２７又は圧縮機２５に異常が生じた際に、貯蔵室１１内に局所的に温度が高い箇所が生じる事態を抑制でき、食材に悪影響を与える事態を抑制することができる。言い換えると、食材に悪影響を出るまでの時間をより長くすることができ、悪影響が出る前に対策を講じる（例えば、凝縮器ファン２７又は圧縮機２５を修理する）ことが容易となる。また、凝縮器ファン２７又は圧縮機２５に異常が生じた場合に冷却ファン２９を間欠運転させる（冷却ファン２９の能力を落とす）ことで、連続運転させる場合と比べて、貯蔵室１１内の空気の循環は緩やかになる。このようにすれば、貯蔵室１１内の空気と貯蔵室１１を構成する壁部との熱交換や、貯蔵室１１内の空気と貯蔵室１１内の貯蔵物との熱交換が抑制される。このため、貯蔵室１１内の温度上昇を抑えつつ、貯蔵室１１内の温度ムラを少なくすることができる。
【００２８】
＜実施形態２＞
次に、本発明の実施形態２を図５によって説明する。上記実施形態と同一部分には、同一符号を付して重複する説明を省略する。本実施形態においては、凝縮器ファン２７又は圧縮機２５の異常が検知された際の制御部４０の動作が上記実施形態と異なる。図５は、本実施形態における冷却運転時の制御部４０の動作を示すフローチャートである。本実施形態によれば、図５に示すように、凝縮器ファン２７又は圧縮機２５の異常が検知されると（ステップＳ２１で「ＹＥＳ」）、制御部４０は、圧縮機２５及び凝縮器ファン２７を停止させ（ステップＳ２２）、表示部４２においてエラー表示を行う（ステップＳ２３）と共に、異常検知前と比べて少ない回転数で冷却ファン２９を運転させる低速運転を実行する（ステップＳ２４）。冷却ファン２９の回転数を少なくすることで、貯蔵室１１内の空気の循環がより緩やかになる。このようにすれば、貯蔵室１１内の空気と貯蔵室１１を構成する壁部との熱交換や、貯蔵室１１内の空気と貯蔵室１１内の貯蔵物との熱交換が抑制される。このため、貯蔵室１１内の温度上昇を抑えつつ、貯蔵室１１内の温度ムラを少なくすることができる。なお、「冷却ファン２９の回転数を少なくする」とは、異常検知前と比べて冷却ファン２９の能力を低下させて運転することの一例である。
【００２９】
＜実施形態３＞
次に、本発明の実施形態３を図６から図７によって説明する。上記実施形態と同一部分には、同一符号を付して重複する説明を省略する。図６に示すように、本実施形態の冷蔵庫３１０は、複数の冷却装置１３を備える。本実施形態では、各冷却装置１３の各室内機２２から貯蔵室１１内に冷気が供給される。本実施形態では、例えば、複数の冷却装置１３にそれぞれ制御部４０が設けられており、各冷却装置１３が各制御部４０によってそれぞれ制御される構成となっている。なお、１つの制御部４０が複数の冷却装置１３をそれぞれ制御する構成としてもよい。つまり、コントロールボックス２３が１つのみ設けられていてもよい。
【００３０】
図７は、冷却運転時の制御部４０の動作を示すフローチャートである。図７に示すように、冷却運転時において、複数の冷却装置１３のうち、少なくとも１つの冷却装置１３において、凝縮器ファン２７又は圧縮機２５の異常が検知されると（ステップＳ３１で「ＹＥＳ」）、制御部４０は、異常が検知された冷却装置１３について、圧縮機２５及び凝縮器ファン２７を停止させ（ステップＳ３２）、表示部４２においてエラー表示を行う（ステップＳ３３）。さらに、制御部４０は、その冷却装置１３の冷却ファン２９を他の冷却装置１３の冷却ファン２９と同じ制御方式で運転させる（ステップＳ３４）。
【００３１】
具体的には、本実施形態では、冷却運転時において、圧縮機２５動作時には冷却ファン２９を連続運転させ、圧縮機２５停止時には冷却ファン２９を間欠運転させるような制御方式で運転を行う。また、本実施形態では、除霜ヒータ４６による除霜運転時において、冷却ファン２９を停止させるような制御方式で運転を行う。そして、異常が発生した冷却装置１３においても同様の制御方式で運転を行う。つまり、異常が検知された冷却装置１３では、冷却運転時において圧縮機２５が停止されることから冷却ファン２９は間欠運転される。言い換えると、異常が検知された冷却装置１３において、制御部４０は、異常発生前の冷却ファン２９の制御方式と同じ制御方式で冷却ファン２９を運転させる。異常が検知された冷却装置１３の冷却ファン２９について、他の冷却ファン２９と同じ制御方式で運転させることで、異常が検知された冷却装置１３の冷却ファン２９のみを停止させる場合と比べて、各冷却ファン２９による空気の循環の態様をより近づけることができ、貯蔵室１１内の温度ムラを少なくすることができる。仮に、異常が検知された冷却装置１３の冷却ファン２９のみを停止させた場合、その冷却ファン２９に対応する箇所では空気の循環が起こり難く、それ以外の冷却ファン２９に対応する箇所では空気の循環が起こることから、貯蔵室１１内に温度ムラが生じる事態が懸念されるが、本実施形態では、このような事態を抑制することができる。また、異常が発生した冷却装置１３の冷却ファン２９について間欠運転を行うことで連続運転を行う場合に比べて省エネルギーに寄与することができる。
【００３２】
なお、制御部４０による冷却ファン２９の制御方式は上記したものに限定されない。例えば、制御部４０は、正常運転時において、圧縮機２５の動作に関わらず冷却ファン２９を連続運転させるような制御を行ってもよい。このような制御方式を採用した場合には、異常が検知された冷却装置１３の冷却ファン２９についても他の冷却ファン２９と同様連続運転が実施されることになる。なお、異常が検知された冷却装置１３の冷却ファン２９について、他の冷却装置１３の冷却ファン２９の制御方式に関わらず、連続運転や間欠運転を行ってもよい。例えば、庫内温度センサ４４の温度が所定の設定温度以上となった場合に冷却ファン２９を動作させてもよい。
【００３３】
＜実施形態４＞
次に、本発明の実施形態４を図８によって説明する。上記実施形態と同一部分には、同一符号を付して重複する説明を省略する。本実施形態では、実施形態３と同様に複数の冷却装置１３を備える。図８は除霜ヒータ４６を用いた除霜運転時の制御部４０の動作を示すフローチャートである。除霜運転時において、制御部４０は、各冷却装置１３について凝縮器ファン２７又は圧縮機２５の異常が検知されたか否かを判定する（ステップＳ４１）。除霜運転時において、凝縮器ファン２７又は圧縮機２５の異常が検知されていた場合（ステップＳ４１で「ＹＥＳ」）には、制御部４０は、冷却ファン２９を運転させつつ（ステップＳ４２）、除霜ヒータ４６を停止させる（ステップＳ４３）。そして、凝縮器ファン２７又は圧縮機２５の異常が検知されていない場合（ステップＳ４１で「ＮＯ」）には、制御部４０は、除霜運転中には、冷却ファン２９を停止させつつ（ステップＳ４４）、除霜ヒータ４６を作動させる（ステップＳ４５）。つまり、制御部４０は、凝縮器ファン２７又は圧縮機２５の異常が検知された冷却装置１３においては冷却ファン２９を運転させつつ、除霜ヒータ４６を停止させ、それ以外の冷却装置１３においては冷却ファン２９を停止させつつ、除霜ヒータ４６を動作させる除霜運転を行う。
【００３４】
本実施形態では、正常に動作している冷却装置１３については、除霜ヒータ４６による除霜が行われ、凝縮器ファン２７又は圧縮機２５の異常が検知された冷却装置１３については、除霜ヒータ４６による除霜が行われない。また、異常が検知された冷却装置１３の冷却ファン２９を運転させることで、貯蔵室１１内の空気を循環させることができる。これにより、貯蔵室１１内で温度ムラが生じる事態（冷却器２８の除霜に伴って冷却ファン２９を停止することで部分的に温度が高い箇所が生じる事態）を抑制できる。なお、正常な冷却装置１３については、冷却ファン２９を停止させることで、除霜ヒータ４６の熱が冷却器２８付近で滞留し易くなり、除霜ヒータ４６による除霜を効率よく行うことができる。
【００３５】
＜他の実施形態＞
本発明は上記記述及び図面によって説明した実施形態に限定されるものではなく、例えば次のような実施形態も本発明の技術的範囲に含まれる。
（１）上記実施形態では、プレハブ式の冷蔵庫を例示したが、プレハブ式に限定されない。
（２）異常検知部は上記実施形態で例示したもの（高圧スイッチ４７、サーマルスイッチ４８、吐出管温度センサ４９）に限定されず、凝縮器ファン２７又は圧縮機２５の異常を検知することが可能な構成のものであればよい。
（３）上記実施形態において１つの室内機２２が複数の冷却ファン２９を備えていてもよい。
（４）上記実施形態では、冷却器２８を加熱する加熱部として除霜ヒータ４６を例示したが、これに限定されない。加熱部として、冷却器を加熱するためのホットガスを冷却器に供給する構成を例示することができる。
（５）上記実施形態において、制御部４０は、凝縮器ファン２７又は圧縮機２５の異常が検知された場合に、圧縮機２５を停止させ、凝縮器ファン２７を動作させてもよい。
【符号の説明】
【００３６】
１０，３１０…冷蔵庫（冷却貯蔵庫）、１１…貯蔵室、１２…貯蔵庫本体、１３…冷却装置、２５…圧縮機、２６…凝縮器、２７…凝縮器ファン、２８…冷却器、２９…冷却ファン、３１…冷却サイクル、４０…制御部、４６…除霜ヒータ（加熱部）、４７…高圧スイッチ（異常検知部）、４８…サーマルスイッチ（異常検知部）、４９…吐出管温度センサ（異常検知部）
【図１】
2020008230.tif 000003
【図２】
2020008230.tif 000004
【図３】
2020008230.tif 000005
【図４】
2020008230.tif 000006
【図５】
2020008230.tif 000007
【図６】
2020008230.tif 000008
【図７】
2020008230.tif 000009
【図８】
2020008230.tif 000010